(57)【特許請求の範囲】
【請求項１】
車輌に搭載されたモニタ装置に、画像再生装置が順次出力する画像データを与
え、該モニタ装置から該画像データに対応する再生画像を順次表示させる画像表示手段と、
前記車輌が後退することを示す信号を該車輌から受信する第１の受信手段と、
前記車輌の周囲の環境が暗いことを示す信号を該車輌から受信する第２の受信手段と、
前記モニタ装置の輝度を制御する輝度制御手段とを備えた車載モニタ制御装置であって、
前記第１の受信手段により前記車輌が後退することを示す信号を受信し、且つ、前記第２の受信手段により前記車輌の周囲の環境が暗いことを示す信号を受信したとき、前記モニタ装置が表示する前記再生画像の進行を停止させると共に、前記モニタ装置が表示する再生画像の輝度を設定された輝度から低下させることを特徴とする車載モニタ制御装置。
【請求項２】
前記輝度制御手段は、前記第１の受信手段により前記車輌が後退することを示す信号を受信し、且つ、前記第２の受信手段により前記車輌の周囲の環境が暗いことを示す信号を受信したとき、前記モニタ装置が表示する再生画像の輝度を前記設定された輝度から低下させる際には、前記車輌の持つ窓で該再生画像が反射しない輝度に低下させることを特徴とする請求項１に記載の車載モニタ制御装置。
【請求項３】
前記第１の受信手段により車輌が後退することを示す信号を受信し、且つ、前記第２の受信手段により車輌の周囲の環境が暗いことを示す信号を受信したことにより前記モニタ装置で表示する再生画像の進行を停止させるときはその位置を前記画像再生装置に記憶させておき、該第１の受信手段が前記車輌が後退することを示す信号を受信しなくなったとき、または、該第２の受信手段が前記車輌の周囲の環境が暗いことを示す信号を受信しなくなったときに、該モニタ装置に、該記憶させた位置またはその僅かに前の再生画像から前記設定された輝度で順次表示させることを特徴とする請求項１又は２に記載の車載モニタ制御装置。
【請求項４】
車輌に搭載されたモニタ装置にゲーム機が順次出力する画像データを与え、該モニタ装置の画面から該画像データに対応するゲーム画像を順次表示させる画像表示手段と、
前記車輌が後退することを示す信号を該車輌から受信する第１の受信手段と、
前記車輌の周囲の環境が暗いことを示す信号を該車輌から受信する第２の受信手段と、
前記モニタ装置の輝度を制御する輝度制御手段とを備えた車載モニタ制御装置であって、
前記第１の受信手段により車輌が後退することを示す信号を受信し、且つ、前記第２の受信手段により車輌の周囲の環境が暗いことを示す信号を受信したとき、前記ゲーム機を一時停止させ且つ前記モニタ装置が表示するゲーム画像の進行を停止させると共に、該モニタ装置が表示するゲーム画像の輝度を設定された輝度から低下させることを特徴とする車載モニタ制御装置。
【請求項５】
前記輝度制御手段は、前記第１の受信手段により車輌が後退することを示す信号を受信し、かつ、前記第２の受信手段により車輌の周囲の環境が暗いことを示す信号を受信したことにより、前記モニタ装置が表示するゲーム画像の輝度を前記設定された輝度から低下させる際には、前記車輌の持つ窓で該ゲーム画像が反射しない輝度に低下させることを特徴とする請求項４に記載の車載モニタ制御装置。
【請求項６】
前記第１の受信手段により前記車輌が後退することを示す信号を受信し、且つ、前記第２の受信手段により前記車輌の周囲の環境が暗いことを示す信号を受信したことにより、前記ゲーム機を一時停止させ且つ該モニタ装置が表示するゲーム画像の輝度を設定された輝度から低下させる際には、該ゲーム機の一時停止するゲーム上の位置を該ゲーム機に記憶させておき、
前記第１の受信手段が前記車輌が後退することを示す信号を受信しなくなったとき、または、前記第２の受信手段が前記車輌の周囲の環境が暗いことを示す信号を受信しなくなったときに、前記ゲーム機の一時停止を解き、該ゲーム機に一時停止以降の画像データを出力させ該モニタ装置に該画像データに対応するゲーム画像を前記設定された輝度で表示させることを特徴とする請求項４又は５に記載の車載モニタ制御装置。
【請求項７】
前記第１の受信手段により前記車輌が後退することを示す信号を受信し、且つ、前記第２の受信手段により前記車輌の周囲の環境が暗いことを示す信号を受信したことにより、前記ゲーム機を一時停止させ且つ前記モニタ装置が表示するゲーム画像の輝度を設定された輝度から低下させた場合は、該第１の受信手段が該車輌が後退することを示す信号を受信しなくなったとき、または、該第２の受信手段が該車輌の周囲の環境が暗いことを示す信号を受信しなくなったときに、該ゲーム機を一時停止させる前のゲームの状態を保存するか否か判断させて必要であればその保存を促す画像を前記画面に表示させることを特徴とする請求項４乃至６のいずれか１項に記載の車載モニタ制御装置。
【請求項８】
前記モニタ装置は、前記車輌の後部座席用モニタ装置であることを特徴とする請求項１乃至７のいずれか１項に記載の車載モニタ制御装置。
【請求項９】
前部には運転席が配置され後部には窓が配置された車輌の該窓側に画面を向けて搭載されたモニタ装置へ画像再生装置から画像データを順次与えて、該モニタ装置の画面から該画像データに対応する再生画像を設定された輝度で順次表示させる処理を行い、
前記車輌の周囲が暗い環境で該車輌が後退する期間を検出し、該期間には前記画像再生装置を一時停止させて前記画像データの出力を止めさせ前記モニタ装置が表示する前記再生画像の進行を停止させるとともに、該モニタ装置が表示する再生画像の輝度を前記設定された輝度から低下させる処理を行なうことを特徴とする車載モニタ制御方法。
【請求項１０】
前部には運転席が配置され後部には窓が配置された車輌の該窓側に画面を向けて搭載されたモニタ装置へゲーム機から画像データを順次与えて、該モニタ装置の画面から該画像データに対応するゲーム画像を設定された輝度で順次表示させる処理を行い、
前記車輌の周囲が暗い環境で該車輌が後退する期間を検出し、該期間には前記ゲーム機を一時停止させて前記画像データの出力を止めさせ前記モニタ装置が表示する前記ゲーム画像の進行を停止させるとともに、該モニタ装置が表示するゲーム画像の輝度を前記設定された輝度から低下させ、前記窓で該画像が反射するのを防止する処理を行なうことを特徴とする車載モニタ制御方法。
【発明の詳細な説明】
【０００１】
【発明の属する技術分野】
本発明は、車載モニタ制御装置及び車載モニタに関するものである。
【０００２】
【従来の技術】
図３は、車載モニタの配置例を示す図である。
近年の自動車には、各種の画像を表示するモニタ装置を搭載するものが増加している。
図３の自動車は、車輌１０に前座席用モニタ装置１１及び後部座席用モニタ装置１２の２台のモニタ装置を搭載している。運転席１３に座る運転者或いはその隣りの同乗者席１４に座る同乗者が見易いように、前座席用モニタ装置１１がフロントパネル１５等に取り付けられている。後部座席用モニタ装置１２は、運転席１３よりも後方の後部座席１６に座る同乗者が見易いように、運転席１３及び同乗者席１４と後部座席１６との間に配置されている。
【０００３】
後部座席用モニタ装置１２は、図示しないＤＶＤ（Digital  Versatile  Disk）から読出された動画像、カーナビゲーションシステムから与えられた画像、或いはゲーム機から与えられた画像等を表示する。前座席用モニタ装置１１は、運転者或いは同乗者席１４に座る同乗者に、ＤＶＤから読出された動画像、カーナビゲーションシステムから与えられた画像を表示するとともに、車輌１０の最後部に取り付けられたバックモニタカメラ１７が撮影する車輌１０の後方の画像を表示するために、用いられる。
【０００４】
これら前座席用モニタ装置１１及び後部座席用モニタ装置１２を制御する図示しない車載モニタ制御装置には、単に、画像の切替えを行うばかりでなく、各種の付加的な機能を備えたものもある。例えば、自動車が運転されて前進しているときには、安全対策のうえから、前座席用モニタ装置１１でＤＶＤから読出された動画像やゲーム機から与えられた画像は前座席用モニタ装置１１に表示せず、カーナビゲーションシステムから与えられる画像のみを前座席用モニタ装置１１に表示するものがある。また、自動車が後退するときには、画像を強制的に切替えてバックモニタカメラ１７で撮影した後方画像を前座席用モニタ装置１１に表示させるものもある。さらに、昼間には画像を見にくくする車外からの光があるのに対し、夜間にはそれがないので、前座席用モニタ装置１１及び後部座席用モニタ装置１２が表示する画像の輝度を夜間では低下させて、低消費電力化を行うものもある。
【０００５】
【発明が解決しようとする課題】
しかしながら、従来の車載モニタ制御装置では、次のような課題があった。
運転者が車輌１０を後退させる場合、バックモニタカメラ１７が撮影した画像を見ることができる場合でも、死角を可能な限りなくすために、肉眼で車輌１０の後方を確認する必要がある。しかしながら、夜間では周囲が暗いので、後部座席１６の後側の後部窓１８に、後部座席用モニタ装置１２の表示する画像が反射して運転者を幻惑し、後方の視認性を落とすことがあった。これは、低消費電力化によって、後部座席用モニタ装置１２の輝度を低下させている程度では、解消できなかった。
一方、後部座席用モニタ装置１２が画像を表示していると、それを視聴している後部座席１６の同乗者は、運転者に対する配慮が欠け、無意識に運転者の視界を遮り、運転者が行いたい後方確認を妨害することもあった。
【０００６】
これ対し、車輌１０を後退させるときに、後部座席用モニタ１２の電源を落とさせると、後方の確認が容易になるが、同乗者が後部座席でＤＶＤから読出された再生画像を見ていた場合、車輌１０の後退が完了したときに、再び電源を投入し、それまで見ていた箇所を探し出さなければならない。また、後部座席用モニタ装置１２でゲーム画像を見ていた同乗者は、電源を投入して再びゲームを最初からやり直さなければならなかった。
【０００７】
本発明は、このような現状に鑑みてなされた発明であり、同乗者にも満足できる形態で運転の安全性を確保することを目的とする。
【０００８】
【課題を解決するための手段】
上記目的を達成するために、本発明の第１の観点に係る車載モニタ制御装置は、車輌に搭載されたモニタ装置に、画像再生装置が順次出力する画像データを与え、該モニタ装置から該画像データに対応する再生画像を順次表示させる画像表示手段と、前記車輌が後退することを示す信号を該車輌から受信する第１の受信手段と、前記車輌の周囲の環境が暗いことを示す信号を該車輌から受信する第２の受信手段と、前記モニタ装置の輝度を制御する輝度制御手段とを備えた車載モニタ制御装置であって、前記第１の受信手段により前記車輌が後退することを示す信号を受信し、且つ、前記第２の受信手段により前記車輌の周囲の環境が暗いことを示す信号を受信したとき、前記モニタ装置が表示する前記再生画像の進行を停止させると共に、前記モニタ装置が表示する再生画像の輝度を設定された輝度から低下させることを特徴とする。
【０００９】
なお、前記輝度制御手段は、前記第１の受信手段により前記車輌が後退することを示す信号を受信し、且つ、前記第２の受信手段により前記車輌の周囲の環境が暗いことを示す信号を受信したとき、前記モニタ装置が表示する再生画像の輝度を前記設定された輝度から低下させる際には、前記車輌の持つ窓で該再生画像が反射しない輝度に低下させてもよい。
【００１０】
また、前記第１の受信手段により車輌が後退することを示す信号を受信し、且つ、前記第２の受信手段により車輌の周囲の環境が暗いことを示す信号を受信したことにより前記モニタ装置で表示する再生画像の進行を停止させるときはその位置を前記画像再生装置に記憶させておき、該第１の受信手段が前記車輌が後退することを示す信号を受信しなくなったとき、または、該第２の受信手段が前記車輌の周囲の環境が暗いことを示す信号を受信しなくなったときに、該モニタ装置に、該記憶させた位置またはその僅かに前の再生画像から前記設定された輝度で順次表示させてもよい。
【００１１】
上記目的を達成するために、本発明の第２の観点に係る車載モニタ制御装置は、車輌に搭載されたモニタ装置にゲーム機が順次出力する画像データを与え、該モニタ装置の画面から該画像データに対応するゲーム画像を順次表示させる画像表示手段と、前記車輌が後退することを示す信号を該車輌から受信する第１の受信手段と、前記車輌の周囲の環境が暗いことを示す信号を該車輌から受信する第２の受信手段と、前記モニタ装置の輝度を制御する輝度制御手段とを備えた車載モニタ制御装置であって、前記第１の受信手段により車輌が後退することを示す信号を受信し、且つ、前記第２の受信手段により車輌の周囲の環境が暗いことを示す信号を受信したとき、前記ゲーム機を一時停止させ且つ前記モニタ装置が表示するゲーム画像の進行を停止させると共に、該モニタ装置が表示するゲーム画像の輝度を設定された輝度から低下させることを特徴とする。
【００１２】
なお、前記輝度制御手段は、前記第１の受信手段により車輌が後退することを示す信号を受信し、かつ、前記第２の受信手段により車輌の周囲の環境が暗いことを示す信号を受信したことにより、前記モニタ装置が表示するゲーム画像の輝度を前記設定された輝度から低下させる際には、前記車輌の持つ窓で該ゲーム画像が反射しない輝度に低下させてもよい。
【００１３】
また、前記第１の受信手段により前記車輌が後退することを示す信号を受信し、且つ、前記第２の受信手段により前記車輌の周囲の環境が暗いことを示す信号を受信したことにより、前記ゲーム機を一時停止させ且つ該モニタ装置が表示するゲーム画像の輝度を設定された輝度から低下させる際には、該ゲーム機の一時停止するゲーム上の位置を該ゲーム機に記憶させておき、前記第１の受信手段が前記車輌が後退することを示す信号を受信しなくなったとき、または、前記第２の受信手段が前記車輌の周囲の環境が暗いことを示す信号を受信しなくなったときに、前記ゲーム機の一時停止を解き、該ゲーム機に一時停止以降の画像データを出力させ該モニタ装置に該画像データに対応するゲーム画像を前記設定された輝度で表示させてもよい。
【００１４】
前記第１の受信手段により前記車輌が後退することを示す信号を受信し、且つ、前記第２の受信手段により前記車輌の周囲の環境が暗いことを示す信号を受信したことにより、前記ゲーム機を一時停止させ且つ前記モニタ装置が表示するゲーム画像の輝度を設定された輝度から低下させた場合は、該第１の受信手段が該車輌が後退することを示す信号を受信しなくなったとき、または、該第２の受信手段が該車輌の周囲の環境が暗いことを示す信号を受信しなくなったときに、該ゲーム機を一時停止させる前のゲームの状態を保存するか否か判断させて必要であればその保存を促す画像を前記画面に表示させてもよい。
【００１５】
また、前記モニタ装置は、前記車輌の後部座席用モニタ装置であってもよい。
【００１６】
上記目的を達成するために、本発明の第３の観点に係る車載モニタ制御方法は、前部には運転席が配置され後部には窓が配置された車輌の該窓側に画面を向けて搭載されたモニタ装置へ画像再生装置から画像データを順次与えて、該モニタ装置の画面から該画像データに対応する再生画像を設定された輝度で順次表示させる処理を行い、前記車輌の周囲が暗い環境で該車輌が後退する期間を検出し、該期間には前記画像再生装置を一時停止させて前記画像データの出力を止めさせ前記モニタ装置が表示する前記再生画像の進行を停止させるとともに、該モニタ装置が表示する再生画像の輝度を前記設定された輝度から低下させる処理を行なうことを特徴とする。
【００１７】
上記目的を達成するために、本発明の第４の観点に係る車載モニタ制御方法は、前部には運転席が配置され後部には窓が配置された車輌の該窓側に画面を向けて搭載されたモニタ装置へゲーム機から画像データを順次与えて、該モニタ装置の画面から該画像データに対応するゲーム画像を設定された輝度で順次表示させる処理を行い、前記車輌の周囲が暗い環境で該車輌が後退する期間を検出し、該期間には前記ゲーム機を一時停止させて前記画像データの出力を止めさせ前記モニタ装置が表示する前記ゲーム画像の進行を停止させるとともに、該モニタ装置が表示するゲーム画像の輝度を前記設定された輝度から低下させ、前記窓で該画像が反射するのを防止する処理を行なうことを特徴とする。
【００１８】
【発明の実施の形態】
［第１の実施形態］
以下、本発明の第１の実施形態に係る車載モニタ制御装置及び車載モニタ制御方法を、図を参照しつつ説明する。
図１は、本発明の第１の実施形態に係る車載モニタ制御装置を示す構成図であり、図２は、自動車に搭載されたモニタ装置の配置を示す図である。
図２に示す自動車は、車輌２０に前座席用モニタ装置２１及び後部座席用モニタ装置２２の２台のモニタ装置を搭載している。
【００１９】
前座席用モニタ装置２１及び後部座席用モニタ装置２２は、それぞれ画像を表示する画面２１ａ，２２ａを備えている。前座席用モニタ装置２１は、運転席２３に座る運転者或いはその隣りの同乗者席２４に座る同乗者が画面２１ａが見易くなるように、車輌２０の前方のフロントパネル２５等に取り付けられている。後部座席用モニタ装置２２は、運転席２３よりも後方の後部座席２６に座る同乗者にその画面２２ａが見易いように、画面２２ａを後方に向けて、運転席２３及び同乗者席２４と後部座席２６との間に配置されている。車輌２０の最後部には、後部窓２７が配置され、車輌２０の前部等には、スモールランプ２８ａやヘッドランプ２８ｂが取り付けられている。
【００２０】
車輌２０には、前座席用モニタ装置２１或いは後部座席用モニタ装置２２に表示する画像の画像データを発生するバックモニタカメラ３１、画像再生装置であるＤＶＤプレーヤ３２、カーナビゲーションシステム３３、ゲーム機３４等が搭載されている。
【００２１】
バックモニタカメラ３１は、車輌２０の最後部に取り付けられ、車輌２０の後方を撮影する。ＤＶＤプレーヤ３２は、同乗者席２４のシート下等に組込まれ、図示しないＤＶＤ（Digital  Versatile  Disk）から画像データを読出す。ＤＶＤプレーヤ３２には、図示しないラストポジションメモリが搭載され、ＤＶＤの画像データの再生が完了する前に再生が中断されたときには、その位置をラストポジションメモリに書込んでおき、再び再生をするときには、その位置又はそのわずかに前から、再生ができる機能を持っている。カーナビゲーションシステム３３は、ＤＶＤプレーヤ３２と共に同乗者席２４のシート下等に組込まれ、地図情報に基づく画像データを発生する。ゲーム機３４は、後部座席２６にゲームコントローラ３４ａと共に載置され、ゲームを構成する画像データを発生する。
【００２２】
前座席用モニタ装置２１及び後部座席用モニタ装置２２は、図１に示す車載モニタ制御装置４０によって制御される。なお、前座席用モニタ装置２１は、低消費電力を可能にするために、画像の輝度を低下させて表示する機能を持つものとする。後部座席用モニタ装置２２は、低消費電力を可能にするために、画像の輝度を低下させる機能を持つと共に、さらに、表示する画像の輝度を、後部窓２７で反射しないレベルにまで落とす機能を持つものとする。
【００２３】
前座席用モニタ装置２１及び後部座席用モニタ装置２２を制御する車載モニタ制御装置４０は、リバース信号受信部４１と、イルミ信号受信部４２と、２入力の論理判断部４３と、輝度制御部４４と、選択部４５とを備えている。
リバース信号受信部４１及びイルミ信号受信部４２は、車輌２０の運転席２３前のフロントパネル２５に組込まれている。リバース信号受信部４１は、車両２０が後退することを示すリバース信号を車輌２０から受信し、リバース信号が与えられている期間に、それを示す信号Ｓ４１を出力する。イルミ信号受信部４２は、車輌２０の周囲の環境が暗い時に点灯するスモールランプ２８ａが点灯していることを示すイルミ信号を車輌２０から受信し、イルミ信号が与えられている期間にそれを示す信号Ｓ４２を出力する。
【００２４】
リバース信号受信部４１の出力端子は、論理判断部４３の一方の入力端子に接続されると共に、選択部４５に接続されている。イルミ信号受信部４２の出力端子は、論理判断部４３の他方の入力端子と、前座席用モニタ装置２１と後部座席用モニタ装置２２とに接続されている。
論理判断部４３は、車輌２０の周囲が暗い環境で車輌２０が後退する期間を信号Ｓ４１，Ｓ４２から検出する手段であり、論理判断部４３の出力端子が、輝度制御部４４、ＤＶＤプレーヤ３２及びゲーム機３４に接続されている。輝度制御部４４の出力端子が、後部座席用モニタ装置２２に接続されている。輝度制御部４４は、輝度を低下させる制御信号を後部座席用モニタ装置２２に与える。
選択部４５は、バックモニタカメラ３１、ＤＶＤプレーヤ３２、カーナビゲーションシステム３３から与えられた画像データを選択して前座席用モニタ装置２１或いは後部座席用モニタ装置２２に与え、画像を表示させる手段である。
【００２５】
次に、車載モニタ制御装置４０の動作を、自動車の運転モードに分けて説明する。
昼間に通常に運転する運転モードにおいて、周囲の明るい環境中を車輌２０が前進するので、車輌２０はリバース信号とイルミ信号とを発生しない。この運転モードでは、リバース信号受信部４１は、リバース信号が与えられていることを示す信号Ｓ４１を発生しない。また、イルミ信号受信部４２は、イルミ信号が与えられていることを示す信号Ｓ４２を発生しない。
【００２６】
ここで、運転者は、カーナビゲーションシステム３３が発生する画像データに対応する画像を選択して前座席用モニタ装置２１で見ているものとする。また、後部座席２６の同乗者は、ＤＶＤプレーヤ３２が出力する画像データに対応する画像を後部座席用モニタ装置２２で見ているものとする。
【００２７】
信号Ｓ４１が入力されていない選択部４５は、運転者によって指定されたカーナビゲーションシステム３３からの画像データを選択して前座席用モニタ装置２１に与え、後部座席２６に座る同乗者から指定されたＤＶＤプレーヤ３２からの画像データを選択して後部座席用モニタ装置２２に与える。
【００２８】
前座席用モニタ装置２１及び後部座席用モニタ装置２２は、選択部４５を介して与えられた画像データを画像化して各表示面２１ａ，２２ａに表示する。ここで、信号Ｓ４２が与えられていない前座席用モニタ装置２１は、選択部４５を介して与えられたカーナビゲーションシステム３３からの画像データを画像化し、正規の輝度で画面２１ａに表示する。同様に、信号Ｓ４２が入力されている後部座席用モニタ装置２２は、選択部４５を介して与えられたＤＶＤプレーヤ３２からの画像データを画像化し、正規の輝度で画面２２ａに表示する。
【００２９】
車輌２０を後退させる場合には、運転者が車輌２０の図示しないトランスミッションの切替えを行う。このトランスミッションの切替えにより、車輌２０が後退するように設定されたときには、車輌２０がリバース信号を発生する。車輌２０は、周囲の明るい環境中を後退するので、スモールランプ２８ａが点灯されず、車輌２０はイルミ信号を発生しない。
【００３０】
その結果、イルミ信号受信部４２は、信号Ｓ４２を発生しない。これに対し、リバース信号受信部４１は、車輌２０からリバース信号が与えられるので、その期間に信号Ｓ４１を発生する。
【００３１】
リバース信号が与えられたことを示す信号Ｓ４１が入力された選択部４５は、前座席用モニタ装置２１がそれまで表示していた画像にかかわらず、強制的にバックモニタカメラ３１が撮影した画像の画像データを、前座席用モニタ装置２１に与える。また、選択部４５は、後部座席用モニタ装置２２に対してそれまで表示していた画像を継続して表示させるように、ＤＶＤプレーヤ３２が出力する画像データを後部座席用モニタ装置２２に与える。
【００３２】
前座席用モニタ装置２１は、選択部４５を介して与えられたバックモニタカメラ３１からの画像データを画像化し、画面２１ａに表示する。一方、後部座席用モニタ装置２２は、ＤＶＤプレーヤ３２から与えられた画像データを画像化して画面２２ａに表示する。前座席用モニタ装置２１及び後部座席用モニタ装置２２は、正規の輝度でそれらを表示する。
【００３３】
バックモニタカメラ３１の撮影した画像は、車輌２０の後方の画像である。運転者は、車輌２０の後部の窓を介して後方の安全確認を行い、前座席用モニタ装置２１が表示する画像を見ながら車輌２０を後退させる。
続いて、夜間等の周囲が暗い環境で運転する運転モードについて、車載モニタ制御装置の動作を説明する。
【００３４】
夜間等の周囲が暗い環境で運転する場合は、運転者がスモールランプ２８ａを点灯させる。これにより、車輌２０は、スモールランプ２８ａが点灯したことを示すイルミ信号を発生する。この場合でも、車輌２０が進行方向に運転されるときには、車輌２０はリバース信号を発生しない。
【００３５】
車輌２０が夜間に進行方向に運転されているものとすると、リバース信号受信部４１には、リバース信号が入力されないので、リバース信号受信部４１は、リバース信号が与えられていることを示す信号Ｓ４１を発生しない。一方、イルミ信号を受信したイルミ信号受信部４２は、イルミ信号を受信したことを示す信号Ｓ４２を、前座席用モニタ装置２１及び後部座席用モニタ装置２２に与える。
【００３６】
選択部４５には、信号Ｓ４１が与えられないので、選択部４５は、運転者によって指定された例えばカーナビゲーションシステム３３からの画像データを選択して前座席用モニタ装置２１に与え、後部座席２６に座る同乗者から指定されたＤＶＤプレーヤ３２からの画像データを選択して後部座席用モニタ装置２２に与える。
【００３７】
前座席用モニタ装置２１及び後部座席用モニタ装置２２には、イルミ信号受信部４２から信号Ｓ４２が与えられているので、前座席用モニタ装置２１及び後部座席用モニタ装置２２は、低消費電力を実現するために、選択部４５を介して与えられた画像データを、それぞれ画像化し、画像を通常よりも輝度を落して表示する。
【００３８】
夜間には車輌２０の周囲の環境が暗いので、表示する輝度をある程度落しても、表示した画像がそれほど見にくくはならない。輝度を落すことにより、低消費電力になる。さらに、画像が明るすぎて、車外への視認性が低下することも、防止できる。
【００３９】
運転者が車輌２０を後退させる場合、運転者はトランスミッションを車輌２０が後退する状態に設定する。これにより、車輌２０はリバース信号を発生する。リバース信号受信部４１は、リバース信号を受信し、リバース信号が与えられていることを示す信号Ｓ４１を発生する。
【００４０】
信号Ｓ４１が与えられた選択部４５は、前座席用モニタ装置２１がそれまで表示していた画像にかかわらず、強制的にバックモニタカメラ３１が撮影した画像データを、前座席用モニタ装置２１に与える。また、選択部４５は、後部座席用モニタ装置２２に対してそれまで表示していた画像を継続して表示させるように、ＤＶＤプレーヤ３２が出力する画像データを後部座席用モニタ装置２２に与える。
【００４１】
信号Ｓ４１は、論理判断部４３にも入力される。夜間で、イルミ信号を車輌２０が発生している期間には、イルミ信号受信部４２の出力する信号Ｓ４２も論理判断部４３に入力される。
論理判断部４３は、信号Ｓ４１が与えられているという条件と信号Ｓ４２の両方の信号が与えられているという条件が揃った期間に、暗い環境の中で車輌２０が後退する期間を示す信号Ｓ４３を発生する。信号Ｓ４３は、輝度制御部４４とＤＶＤプレーヤ３２とゲーム機３４とに与えられる。
【００４２】
輝度制御部４４は、信号Ｓ４３が与えられている期間に、制御信号Ｓ４４を後部座席用モニタ装置２２に与える。制御信号Ｓ４４が入力された後部座席用モニタ装置２２は、表示している画像の輝度を落す。このとき後部座席用モニタ装置２２が表示する画像の輝度は、後部窓２７に画像が反射しないレベルの輝度になっている。
【００４３】
ＤＶＤプレーヤ３２は、信号Ｓ４３を画像再生の一時停止を指示する信号として入力し、ＤＶＤから順次読出していた画像データの最終位置を、ラストポジションメモリに記憶する。そしてＤＶＤプレーヤ３２は、画像データの出力を停止する。
これにより、選択部４５を介してＤＶＤプレーヤ３２から画像データを入力していた後部座席用モニタ装置２２は、ＤＶＤプレーヤ３２が一時停止する前に出力していた画像データに対応する再生画像を保持して、輝度を前述したように低下させて表示するようになる。
【００４４】
バックモニタカメラ３１の撮影した画像は、車輌２０の後方の画像である。運転者は、車輌２０の後部の窓を介して後方の安全確認を行い、前座席用モニタ装置２１が表示する画像を見ながら車輌２０を後退させる。このとき、後部座席用モニタ装置２２が表示している再生画像が、後部窓２７で反射しないので、運転者がそれに幻惑されない。また、後部座席用モニタ装置２２で表示する画像の輝度が、車輌２０が前進しているときよりも落ちるので、後部座席２６で後部座席用モニタ装置２２の画像を見ていた同乗者が、車輌２０が後退することに気づき、運転者の視界を遮らないように協力する。
【００４５】
車輌２０の後退が完了すると、運転者がトランスミッションをシフトし、車輌２０が後退する設定を解除する。これにより、車輌２０は、リバース信号を発生しなくなる。リバース信号受信部４１は、車輌２０が後退することを示す信号Ｓ４１の出力を停止する。これにより、車輌２０の周囲が暗いという条件と車輌２０が後退するという条件とが揃わなくなり、論理判断部４３は、信号Ｓ４３の出力を停止する。
【００４６】
信号Ｓ４３が入力されない輝度制御部４４は、輝度を下げる制御信号Ｓ４４の出力を停止する。これによって、後部座席用モニタ装置２２は、低下させていた輝度を低消費電力モードの輝度に戻す。
また、論理判断部４３から信号Ｓ４３が入力されなくなったＤＶＤプレーヤ３２は、画像データの出力を再開する。即ち、ラストポジションメモリに記憶していた位置情報を読出し、一時停止の直前に出力した画像データを特定し、そのわずかに前の位置の画像データから順にＤＶＤから読出して出力する。ＤＶＤプレーヤ３２が出力する画像データは、選択部４５を介して後部座席用モニタ装置２２に与えられ、後部座席用モニタ装置２２は、与えられた画像データに対応する再生画像を順次表示する。
【００４７】
以上のように、この第１の実施形態では、次のような利点がある。
（１）後部座席用モニタ装置２２を備える車輌２０にリバース信号受信部４１とイルミ信号受信部４２と論理判断部４３とを備え、車輌２０が、周囲が暗い環境で後退する場合に、後部座席用モニタ装置２２で再生画像を、後部窓で反射しない程度に下げるとともに、ＤＶＤプレーヤ３２を一時停止させている。そのため、後部窓２７に画像が反射して運転者を幻惑することがなくなり、後方の視認性が改善され、安全性を確保できる。また、車輌２０が後退を完了したときには、一時停止した位置からの再生画像の再生ができるので、同乗者にとっても満足ができる。
【００４８】
（２）車輌２０の周囲が暗いことを、車輌２０が発生するイルミ信号によって検出するので、運転者が敢えて環境が暗いことを判断して輝度を調整する必要がない。
（３）後部座席用モニタ装置２２で表示する輝度を、後部窓で反射しない程度に下げ、また、再生画像の表示を固定化するので、後部座席２６で後部座席用モニタ装置２２に表示される画像を見ていた同乗者が、車輌２０が後退することがわかり、運転者の安全確認に協力するようになることが期待できる。
【００４９】
［第２の実施形態］
前述の第１の実施形態では、後部座席２６に座る同乗者が、ＤＶＤプレーヤ３２の出力する画像データに対応する再生画像を選択して見る例を示したが、本実施形態では、ゲーム機３４から出力した画像データに対応するゲーム画像を後部座席用モニタ装置２２で見る場合の車載モニタ制御装置４０の動作を説明する。なお、車輌２０及び車載モニタ制御装置４０は、第１の実施形態と同様のものであり、図１及び図２を参照して説明する。
【００５０】
昼間に通常に運転する運転モードでは、車輌２０がリバース信号とイルミ信号とを発生しない。この運転モードでは、車載モニタ制御装置４０の選択部４５は、前座席用モニタ装置２１に、例えば運転者が選択したカーナビゲーションシステム３３からの画像データを前座席用モニタ装置２１に与えて、それに対応する画像を前座席用モニタ装置２１に正規の輝度で表示させる。同様に、後部座席用モニタ装置２２には、後部座席２６の同乗者が指定したゲーム機３４が発生する画像データを後部座席用モニタ装置２２に与え、ゲーム画像を後部座席用モニタ装置２２に正規の輝度で表示させる。
【００５１】
車輌２０が後退する期間、選択部４５は、強制的にバックモニタカメラ３１が撮影した画像の画像データを前座席用モニタ装置２１に与え、これを表示させる。後部座席用モニタ装置２２にはそれまで表示していたゲーム画像を継続して表示させる。
【００５２】
バックモニタカメラ３１の撮影した画像は、車輌２０の後方の画像である。運転者は、車輌２０の後部の窓を介して後方の安全確認を行い、前座席用モニタ装置２１が表示する画像を見ながら車輌２０を後退させる。
【００５３】
夜間等の周囲が暗い環境で運転する運転モードでは、運転者がスモールランプ２８ａを点灯させる。これにより、車輌２０は、スモールランプ２８ａが点灯したことを示すイルミ信号を発生する。イルミ信号受信部４２は、イルミ信号を受信し、イルミ信号を受信したことを示す信号Ｓ４２を発生する。
選択部４５は、車輌２０が夜間に進行方向に運転されているときには、運転者によって指定された例えばカーナビゲーションシステム３３からの画像データを前座席用モニタ装置２１に与えて画像を表示させる。また、選択部４５は、後部座席２６に座る同乗者から指定されたゲーム機３４からの画像データを選択して後部座席用モニタ装置２２に与えてゲーム画像を表示させる。
【００５４】
ここで、前座席用モニタ装置２１及び後部座席用モニタ装置２２には、イルミ信号受信部４２から信号Ｓ４２が与えられているので、前座席用モニタ装置２１及び後部座席用モニタ装置２２は、低消費電力を実現するために、選択部４５を介して与えられた画像データを、それぞれ画像化し、通常よりも輝度を落して表示する。
【００５５】
運転者が車輌２０を後退させる場合、運転者はトランスミッションを車輌２０が後退する状態に設定する。これにより、車輌２０はリバース信号を発生する。リバース信号受信部４１は、リバース信号を受信し、リバース信号が与えられていることを示す信号Ｓ４１を発生する。
【００５６】
信号Ｓ４１が与えられた選択部４５は、前座席用モニタ装置２１がそれまで表示していた画像にかかわらず、強制的にバックモニタカメラ３１が撮影した画像データを、前座席用モニタ装置２１に与える。また、選択部４５は、後部座席用モニタ装置２２に対してそれまで表示していた画像を継続して表示させるように、ゲーム機３４が出力する画像データを後部座席用モニタ装置２２に与える。
【００５７】
夜間で、イルミ信号を車輌２０が発生している期間には、イルミ信号受信部４２の出力する信号Ｓ４２も論理判断部４３に入力される。
論理判断部４３は、信号Ｓ４１が与えられているという条件と信号Ｓ４２の両方の信号が与えられているという条件が揃った期間に、暗い環境の中で車輌２０が後退する期間を示す信号Ｓ４３を発生する。信号Ｓ４３は、輝度制御部４４及びゲーム機３４に与えられる。
【００５８】
輝度制御部４４は、信号Ｓ４３が与えられている期間に、制御信号Ｓ４４を後部座席用モニタ装置２２に与える。制御信号Ｓ４４が入力された後部座席用モニタ装置２２は、表示している画像の輝度を落す。このとき後部座席用モニタ装置２２が表示する画像の輝度は、後部窓２７に画像が反射しないレベルの輝度になっている。
【００５９】
ゲーム機３４は、信号Ｓ４３をゲームの一時停止を指示する信号として入力し、ゲームを一時停止し、画像データの出力を停止する。これにより、選択部４５を介してゲーム機３４から画像データを入力していた後部座席用モニタ装置２２は、ゲーム機３４が一時停止する前に出力していた画像データに対応するゲーム画像を保持して、輝度を前述したように低下させて表示するようになる。
【００６０】
バックモニタカメラ３１の撮影した画像は、車輌２０の後方の画像である。運転者は、車輌２０の後部の窓を介して後方の安全確認を行い、前座席用モニタ装置２１が表示する画像を見ながら車輌２０を後退させる。このとき、後部座席用モニタ装置２２が表示しているゲーム画像が、後部窓２７で反射しないので、運転者がそれに幻惑されない。また、後部座席用モニタ装置２２で表示するゲーム画像の輝度が、車輌２０が前進しているときよりも落ちるので、後部座席２６で後部座席用モニタ装置２２の画像を見ていた同乗者が、車輌２０が後退することに気づき、運転者の視界を遮らないように協力する。
【００６１】
車輌２０の後退が完了すると、運転者がトランスミッションをシフトし、車輌２０が後退する設定を解除する。これにより、車輌２０は、リバース信号を発生しなくなる。リバース信号受信部４１は、車輌２０が後退することを示す信号Ｓ４１の出力を停止する。これにより、車輌２０の周囲が暗いという条件と車輌２０が後退するという条件とが揃わなくなり、論理判断部４３は、信号Ｓ４３の出力を停止する。
【００６２】
信号Ｓ４３が入力されない輝度制御部４４は、輝度を下げる制御信号Ｓ４４の出力を停止する。これによって、後部座席用モニタ装置２２は、低下させていた輝度を低消費電力モードの輝度に戻す。
また、論理判断部４３から信号Ｓ４３が入力されなくなったゲーム機３４は、一時停止が解かれ、ゲームが再開可能になるとともに、ゲーム機３４が画像データを出力する。画像データは、選択部４５を介して後部座席用モニタ装置２２に与えられ、後部座席用モニタ装置２２は、与えられた画像データに対応するゲーム画像を順次表示する。
【００６３】
以上のように、この第２の実施形態では、車輌２０の周囲が暗いという条件と、車輌２０が後退するという条件が揃った期間に、後部座席用モニタ装置２２の輝度を低下させるとともに、ゲーム機３４を一時停止させるので、そのため、後部窓２７に画像が反射して運転者を幻惑することがなくなり、後方の視認性が改善され、安全性を確保できる。また、車輌２０が後退を完了したときには、一時停止した位置からゲームの再開できるので、同乗者にとっても満足ができる。
【００６４】
なお、本発明は、上記実施形態に限定されず、種々の変形が可能である。その変形例としては、次のようなものがある。
（ｉ）第１及び第２の実施形態では、車輌２０に前座席用モニタ装置２１と後部座席用モニタ装置２２の両方を搭載し例を示したが、後部座席用モニタ装置２２だけ搭載する場合でも、本発明は、車輌２０の安全性を高めることができる。
（ii）図１及び図３では、車載モニタ制御装置４０を、前座席用モニタ装置２１及び後部座席用モニタ装置２２の両方を制御する構成にしたが、リバース信号受信部４１、イルミ信号受信部４２、論理判断部４３、輝度制御部４４、選択部４５を、前座席用モニタ装置２１と後部座席用モニタ装置２２等のモニタ装置の数だけ用意し、各モニタ装置に組込んでもよい。
【００６５】
（iii）一般のゲーム機３４は、保存機能を持っている。そのため、車輌２０の後退が完了したときに、そのまま、運転自体を終了するようなことが想定されるので、車輌２０の後退が完了したときに、ゲームを保存するか否かを確認し必要であれば保存を促すようなメッセージ等を、後部座席用モニタ装置２２の画面２２ａに表示するようにしてもよい。
【００６６】
【発明の効果】
以上詳細に説明したように、本発明によれば、同乗者にも満足できる形態で運転の安全性を確保することができる。
【図面の簡単な説明】
【図１】本発明の第１の実施形態に係る車載モニタ制御装置の構成図である。
【図２】自動車に搭載されたモニタ装置の配置を示す図である。
【図３】自動車に搭載されたモニタ装置の配置を示す図である。
【符号の説明】
２０      車輌
２１      前座席用モニタ装置
２２      後部座席用モニタ装置
２３      運転席
２７      後部窓
３１      バックモニタカメラ
３２      ＤＶＤプレーヤ
３３      カーナビゲーションシステム
３４      ゲーム機
４１      リバース信号受信部
４２      イルミ信号受信部
４３      論理判断部
４４      輝度制御部
４５      選択部
【図１】
0004073247.tif 000002
【図２】
0004073247.tif 000003
【図３】
0004073247.tif 000004